(57)【要約】  ２つの別々のコンパートメント、即ち、上方コンパートメント及び下方コンパートメントを利用したガム包装設計品。コンパートメントは各々、別々の板紙ブランクで作られるのがよい。ブランクを折り畳んでコンパートメントを形成し、次に、下方コンパートメントを上方コンパートメントに次のような仕方で、即ち、下方コンパートメントが空になった後にミシン目に沿って引き裂くことによって下方コンパートメントを後で上方コンパートメントから分離できるような仕方で、くっつける。上方コンパートメントに設けられたカバーフラップを用いると、コンパートメントを互いに向かい合わせ、端部を下方コンパートメントのバックパネルに形成された受入れスロット内にたくし込むことによって、パッケージをコンパクトな閉鎖位置に保持することができる。下方コンパートメントをいったん上方コンパートメントから分離すると、カバーフラップの上述の端部を上方コンパートメントのフロントパネルに形成された受入れスロット内にたくし込むことによりカバーフラップを用いて残りのパッケージを閉鎖することができる。
2007537105.tif 000002
【特許請求の範囲】
【請求項１】
食用製品片を収容するパッケージであって、
上方コンパートメント及び下方コンパートメントを有し、各コンパートメントは、複数個の個々の食用製品片を受け入れてこれらを収容するよう形成され、
前記上方コンパートメントは、少なくとも一部が前記上方コンパートメントの５つの側部で閉じられ、前記５つの側部は、後壁、前壁、底壁、及び１対の横方向側壁を含み、前記下方コンパートメントは、少なくとも一部が前記下方コンパートメントの５つの側部で閉じられ、前記５つの側部は、後壁、前壁、底壁、及び１対の横方向側壁を含み、
前記上方コンパートメントと前記下方コンパートメントは、フラップにより互いに連結されている、パッケージ。
【請求項２】
前記上方コンパートメントと前記下方コンパートメントは、互いに分離可能である、請求項１記載のパッケージ。
【請求項３】
前記上方コンパートメントへの前記フラップの前記連結は、前記コンパートメントを互いに分離するのを助けるよう加工されている、請求項２記載のパッケージ。
【請求項４】
前記上方コンパートメントは、ミシン目入りスコアラインを作ることにより加工されている、請求項３記載のパッケージ。
【請求項５】
前記パッケージは、前記上方コンパートメントの前記後壁に連結されたカバーフラップを更に有する、請求項１記載のパッケージ。
【請求項６】
前記カバーフラップは、前記下方コンパートメントの前記後壁に選択可能に係合できる、請求項５記載のパッケージ。
【請求項７】
前記下方コンパートメントの前記後壁には、前記カバーフラップの一部を選択可能に受け入れる受入れスロットが設けられている、請求項６記載のパッケージ。
【請求項８】
前記カバーフラップは、前記上方コンパートメントの前記前壁に選択可能に係合できる、請求項５記載のパッケージ。
【請求項９】
前記上方コンパートメントの前記前壁には、前記カバーフラップの一部を選択可能に受け入れる受入れスロットが設けられている、請求項８記載のパッケージ。
【請求項１０】
前記カバーフラップは、前記下方コンパートメントの前記後壁又は前記上方コンパートメントの前記前壁に選択可能に係合できる、請求項５記載のパッケージ。
【請求項１１】
前記下方コンパートメントの前記後壁には、前記カバーフラップの一部を選択可能に受け入れる受入れスロットが形成され、前記上方コンパートメントの前記前壁には、前記カバーフラップの一部を選択可能に受け入れる受入れスロットが形成されている、請求項１０記載のパッケージ。
【請求項１２】
前記パッケージは、２つの板紙ブランクで形成され、前記板紙ブランクのうちの１つは、前記上方コンパートメントを形成し、もう１つは前記下方コンパートメントを形成する、請求項１記載のパッケージ。
【請求項１３】
前記フラップは、前記上方コンパートメントの前記１対の側壁のうちの一方と前記下方コンパートメントの前記１対の側壁のうちの一方の合計にほぼ等しい高さを有する、請求項１記載のパッケージ。
【請求項１４】
前記フラップは、前記下方コンパートメントの前記１対の側壁のうちの一方にほぼ等しい高さを有する、請求項１記載のパッケージ。
【請求項１５】
前記フラップは、前記下方コンパートメントが前記上方コンパートメントから下方にぶら下がるようになっているとき、前記下方コンパートメントの前記後壁が前記上方コンパートメントの前記後壁とほぼ整列するような仕方で連結されている、請求項１記載のパッケージ。
【請求項１６】
前記フラップは、前記下方コンパートメントが前記上方コンパートメントから下方にぶら下がるようになっているとき、前記下方コンパートメントの前記後壁が前記上方コンパートメントの前記前壁とほぼ整列するような仕方で連結されている、請求項１記載のパッケージ。
【請求項１７】
前記食用製品片は、チューインガムの個々の板状片である、請求項１記載のパッケージ。
【請求項１８】
前記上方コンパートメント及び前記下方コンパートメントの前記前壁は、前記コンパートメント内に収容できる前記個々の食用製品片への接近を可能にするための部分的壁である、請求項１記載のパッケージ。
【請求項１９】
食用製品片を収容するパッケージであって、
後壁、前壁、底壁、及び１対の横方向側壁を備えたコンパートメントを構成するよう折り曲げられる第１の板紙ブランクと、
後壁、前壁、底壁、及び１対の横方向側壁を備えたコンパートメントを構成するよう折り曲げられる第２の板紙ブランクとを有し、
前記第２の板紙ブランクは、前記第１の板紙ブランクにより形成される前記コンパートメントが、上方コンパートメントとなり、前記第２の板紙ブランクにより形成される前記コンパートメントが、下方コンパートメントとなるように前記第１の板紙ブランクに取り付けられた上方フラップを更に有し、前記上方コンパートメント及び前記下方コンパートメントは各々、複数個の食用製品片を受け入れてこれらを収容するような適当な寸法形状のものである、パッケージ。
【請求項２０】
前記上方コンパートメントと前記下方コンパートメントは、互いに分離可能である、請求項１９記載のパッケージ。
【請求項２１】
前記上方コンパートメントへの前記フラップの前記連結は、前記コンパートメントを互いに分離するのを助けるよう加工されている、請求項２０記載のパッケージ。
【請求項２２】
前記上方コンパートメントは、ミシン目入りスコアラインを作ることにより加工されている、請求項２１記載のパッケージ。
【請求項２３】
前記パッケージは、前記上方コンパートメントの前記後壁に連結されたカバーフラップを更に有する、請求項１９記載のパッケージ。
【請求項２４】
前記カバーフラップは、前記下方コンパートメントの前記後壁に選択可能に係合できる、請求項２３記載のパッケージ。
【請求項２５】
前記下方コンパートメントの前記後壁には、前記カバーフラップの一部を選択可能に受け入れる受入れスロットが設けられている、請求項２４記載のパッケージ。
【請求項２６】
前記カバーフラップは、前記上方コンパートメントの前記前壁に選択可能に係合できる、請求項２３記載のパッケージ。
【請求項２７】
前記上方コンパートメントの前記前壁には、前記カバーフラップの一部を選択可能に受け入れる受入れスロットが設けられている、請求項２６記載のパッケージ。
【請求項２８】
前記カバーフラップは、前記下方コンパートメントの前記後壁又は前記上方コンパートメントの前記前壁に選択可能に係合できる、請求項２３記載のパッケージ。
【請求項２９】
前記下方コンパートメントの前記後壁には、前記カバーフラップの一部を選択可能に受け入れる受入れスロットが設けられ、前記上方コンパートメントの前記前壁には、前記カバーフラップの一部を選択可能に受け入れる受入れスロットが設けられている、請求項２８記載のパッケージ。
【請求項３０】
前記上方コンパートメントと前記下方コンパートメントは、フラップにより互いに連結され、前記フラップは、前記上方コンパートメントの前記１対の側壁のうちの一方と前記下方コンパートメントの前記１対の側壁のうちの一方の合計にほぼ等しい高さを有する、請求項１９記載のパッケージ。
【請求項３１】
前記上方コンパートメントと前記下方コンパートメントは、フラップにより互いに連結され、前記フラップは、前記下方コンパートメントの前記１対の側壁のうちの一方にほぼ等しい高さを有する、請求項１９記載のパッケージ。
【請求項３２】
前記上方フラップは、前記下方コンパートメントが前記上方コンパートメントから下方にぶら下がるようになっているとき、前記下方コンパートメントの前記後壁が前記上方コンパートメントの前記後壁とほぼ整列するような仕方で連結されている、請求項１９記載のパッケージ。
【請求項３３】
前記上方フラップは、前記下方コンパートメントが前記上方コンパートメントから下方にぶら下がるようになっているとき、前記下方コンパートメントの前記後壁が前記上方コンパートメントの前記前壁とほぼ整列するような仕方で連結されている、請求項１９記載のパッケージ。
【請求項３４】
前記食用製品片は、チューインガムの個々の板状片である、請求項１９記載のパッケージ。
【請求項３５】
前記上方コンパートメント及び前記下方コンパートメントの前記前壁は、前記コンパートメント内に収容できる前記個々の食用製品片への接近を可能にするための部分的壁である、請求項１９記載のパッケージ。
【請求項３６】
食用製品片を収容するパッケージを形成する方法であって、
第１の板紙ブランク及び第２の板紙ブランクを用意するステップを有し、
前記第１の板紙ブランクを折り曲げてカバーフラップ及び後壁と、前壁と、底壁と、１対の横方向側壁とを備えたコンパートメントを形成するステップを有し、前記コンパートメントは、複数個の食用製品片を受け入れてこれらを収容するような適当な寸法形状のものであり、
前記第２の板紙ブランクを折り曲げて連結フラップ及び後壁と、前壁と、底壁と、１対の横方向側壁とを備えたコンパートメントを形成するステップを有し、前記コンパートメントは、複数個の食用製品片を受け入れてこれらを収容するような適当な寸法形状のものであり、
前記第２の板紙ブランクの前記連結フラップを前記第１の板紙ブランクに取り付けるステップを有する、方法。
【請求項３７】
前記第１の板紙ブランクで形成された前記コンパートメントを前記連結フラップに対して回し、前記第２の板紙ブランクで形成された前記コンパートメントを前記連結フラップに対して回して各コンパートメントの前記前壁を互いに隣接して位置させるステップを更に有する、請求項３６記載の方法。
【請求項３８】
前記カバーフラップを前記第２の板紙ブランクで形成された前記コンパートメントの少なくとも一部上に折り重ねるステップを更に有する、請求項３７記載の方法。
【請求項３９】
前記カバーフラップの一部を前記第２の板紙ブランクで形成された前記コンパートメントに選択可能に係合させるステップを更に有する、請求項３８記載の方法。
【請求項４０】
前記第２の板紙ブランクで形成された前記コンパートメントの前記後壁には、前記カバーフラップの一部を受け入れるスロットが形成されている、請求項３９記載の方法。
【請求項４１】
前記第２の板紙ブランクの大部分を、後で前記第１の板紙ブランクから分離するステップを更に有する、請求項３６記載の方法。
【請求項４２】
前記カバーフラップを前記第１の板紙ブランクで形成された前記コンパートメントの少なくとも一部上に折り重ねるステップを更に有する、請求項４１記載の方法。
【請求項４３】
前記カバーフラップの一部を前記第１の板紙ブランクで形成された前記コンパートメントに選択可能に係合させるステップを更に有する、請求項４２記載の方法。
【請求項４４】
前記第１の板紙ブランクで形成された前記コンパートメントの前記前壁には、前記カバーフラップの一部を受け入れるスロットが形成されている、請求項４３記載の方法。
【請求項４５】
前記食用製品片は、チューイングガムの個々の板状片である、請求項３６記載の方法。
【請求項４６】
食用製品片を収容するパッケージであって、
複数個の食用製品片を受け入れてこれらを収容する上方コンパートメントを構成するよう折り曲げる第１の板紙ブランクを有し、前記上方コンパートメントは、少なくとも一部が前記上方コンパートメントの５つの側部で閉じられ、前記５つの側部は、後壁、前壁、底壁、及び１対の横方向側壁を含み、
複数個の食用製品片を受け入れてこれらを収容する下方コンパートメントを構成するよう折り曲げる第２の板紙ブランクを有し、前記下方コンパートメントは、少なくとも一部が前記下方コンパートメントの５つの側部で閉じられ、前記５つの側部は、後壁、前壁、底壁、及び１対の横方向側壁を含み、前記第２の板紙ブランクは、前記第１の板紙ブランクに取り付けられる上方フラップを更に有し、
前記パッケージは、前記上方コンパートメントの前記後壁に連結されているカバーフラップを更に有し、前記カバーフラップは、前記下方コンパートメントの前記後壁に形成された受入れスロットに選択可能に係合できる、パッケージ。
【請求項４７】
前記上方コンパートメントと前記下方コンパートメントは、互いに分離可能である、請求項４６記載のパッケージ。
【請求項４８】
前記上方コンパートメントへの前記フラップの前記連結は、前記コンパートメントを互いに分離するのを助けるよう加工されている、請求項４７記載のパッケージ。
【請求項４９】
前記上方コンパートメントは、ミシン目入りスコアラインを作ることにより加工されている、請求項４８記載のパッケージ。
【請求項５０】
前記カバーフラップは又は、前記上方コンパートメントの前記前壁に選択可能に係合できる、請求項４６記載のパッケージ。
【請求項５１】
前記上方コンパートメントの前記前壁には、前記カバーフラップの一部を選択可能に受け入れる受入れスロットが設けられている、請求項５０記載のパッケージ。
【請求項５２】
前記上方コンパートメント及び前記下方コンパートメントの前記前壁は、前記コンパートメント内に収容できる前記個々の食用製品片への接近を可能にするための部分的壁である、請求項４６記載のパッケージ。
【請求項５３】
前記上方フラップは、前記上方コンパートメントの前記１対の側壁のうちの一方と前記下方コンパートメントの前記１対の側壁のうちの一方の合計にほぼ等しい高さを有する、請求項４６記載のパッケージ。
【請求項５４】
前記上方フラップは、前記下方コンパートメントの前記１対の側壁のうちの一方にほぼ等しい高さを有する、請求項４６記載のパッケージ。
【請求項５５】
前記食用製品片は、チューインガムの個々の板状片である、請求項４６記載のパッケージ。
【請求項５６】
製品片を収容するパッケージであって、
第１のコンパートメント及び第２のコンパートメントを有し、各コンパートメントは、複数個の製品片を受け入れてこれらを収容するよう形成されており、
前記第１のコンパートメントは、少なくとも一部が前記第１のコンパートメントの５つの側部で閉じられ、前記５つの側部は、後壁、前壁、底壁、及び１対の横方向側壁を含み、
前記第２のコンパートメントは、少なくとも一部が前記第２のコンパートメントの５つの側部で閉じられ、前記５つの側部は、後壁、前壁、底壁、及び１対の横方向側壁を含み、
前記第１のコンパートメントと前記第２のコンパートメントは、フラップにより互いに連結されている、パッケージ。
【請求項５７】
製品片を収容するパッケージであって、
後壁、前壁、底壁、及び１対の横方向側壁を備えたコンパートメントを構成するよう折り曲げられる第１の板紙ブランクと、
後壁、前壁、底壁、及び１対の横方向側壁を備えたコンパートメントを構成するよう折り曲げられる第２の板紙ブランクとを有し、
前記第２の板紙ブランクは、前記第１の板紙ブランクにより形成される前記コンパートメントが、上方コンパートメントとなり、前記第２の板紙ブランクにより形成される前記コンパートメントが、下方コンパートメントとなるように前記第１の板紙ブランクに取り付けられた上方フラップを更に有し、前記上方コンパートメント及び前記下方コンパートメントは各々、製品片を受け入れてこれらを収容するような適当な寸法形状のものである、パッケージ。
【発明の詳細な説明】
【技術分野】
【０００１】
本発明は一般に、チューインガム及び他の製品用の包装技術に関し、特に、チューインガム及び他の製品用の多コンパートメント包装技術に関する。
【背景技術】
【０００２】
〔関連出願の参照〕
本願は、２００４年５月１１日に出願された米国仮特許出願第６０／５７０，００４号（発明の名称：Gum Slab Packaging with Adhesive Securement）及び２００４年５月１１日に出願された米国仮特許出願第６０／５７０，０１５号（発明の名称：Gum Slab Packaging having Adhesive Flap）及び２００４年６月２日に出願された米国仮特許出願第６０／５７６，１２２号（発明の名称：Packaging Design with Separate Compartments）の優先権主張出願であり、これら米国仮特許出願の各々を参照により引用し、その記載内容を本明細書の一部とする。
【０００３】
チューインガムは現在、多種多様な形態で消費者に対して市販されている。これらチューインガムとしては、棒状のガム、板状のガム、ペレット状のガム、押出し成形ガム等が挙げられる。棒状ガムは、長さが約６〜７ｃｍ、幅が約１．５〜２ｃｍ、厚さが約０．２ｃｍのサイズで提供されている場合がある。板状のガム（板ガム）は、長さが約４．５ｃｍ、幅が約１．２ｃｍ、厚さが約０．３ｃｍのサイズで売られている場合がある。
【０００４】
種々のタイプのガム包装も又、存在しており、かかる包装としては、主としてガム形態のうちの一方又は他方に用いられる或る特定のタイプの包装が挙げられる。ガムの板状片は、フォイル（箔）パッケージに入れて市販されている場合が多い。元来、これら板状片は、パッケージ内に互いに並んだ状態で配置され、恐らくは、パッケージ１つ当たり５〜７枚の板状片が入れられる。最近、これら板状片は、フォイルパッケージ内に向かい合った状態で配置され、１５〜２０枚の板状片を手頃なパッケージに入れることができる。
【０００５】
かかる包装方式は現在人気があり、満足のゆく結果を達成する。しかしながら、この方式には或る特定の欠点のあることが分かった。これら欠点は、パッケージをいったん開くと、パッケージを閉じる適当な手段が無いことに関連している。代表的には、フォイル包装材料の一部を引きちぎって板状片への接近を可能にする。次に、パッケージをハンドバッグ、ジャケット又はズボンのポケットの中にしまい又は入れることができる。このようにしまっても、板状片のうちの何枚かがパッケージから外へ落ちる場合がある。また、このようにしまっても、異物、例えば糸くず、ごみ等がパッケージに入ることは十分にあり得る。その結果、パッケージをハンドバッグ又はポケットから取り出すとき、板状片のうちの幾つかは、パッケージから滑り落ちてハンドバッグ又はポケット内でばらばらになる場合がある。また、パッケージは、パッケージに入り又はこれにくっついている場合のある異物に起因して、ハンドバッグ又はポケットからいったん取り出すと、見栄えが悪くなる場合がある。この点は、ガム製品を市場に出している業者にとって重要である。というのは、かかる業者は、ガムパッケージの内容物を他の人と分け合うという社交的な面を促進しようとしているからである。
【０００６】
この技術背景に鑑みて、先行技術に対する改良を行う要望により、ガム及び他の製品用の包装設計品を開発したものである。
【発明の開示】
【０００７】
上方コンパートメント及び下方コンパートメントを有する、食用製品片を収容するパッケージが提供され、各コンパートメントは、複数個の個々の食用製品片を受け入れてこれらを収容するよう形成されている。上方コンパートメントは、少なくとも一部が上方コンパートメントの５つの側部で閉じられ、５つの側部は、後壁、前壁、底壁、及び１対の横方向側壁を含む。下方コンパートメントは、少なくとも一部が下方コンパートメントの５つの側部で閉じられ、５つの側部は、後壁、前壁、底壁、及び１対の横方向側壁を含む。フラップが、上方コンパートメントと下方コンパートメントを互いに連結している。
【０００８】
上方コンパートメントと下方コンパートメントは、互いに分離可能であるのがよい。上方コンパートメントへのフラップの連結は、コンパートメントを互いに分離するのを助けるよう加工されているのがよい。上方コンパートメントは、ミシン目入りスコアラインを作ることにより加工されているのがよい。
【０００９】
パッケージは、上方コンパートメントの後壁に連結されたカバーフラップを更に有するのがよい。カバーフラップは、下方コンパートメントの後壁に選択可能に係合できるのがよい。下方コンパートメントの後壁には、カバーフラップの一部を選択可能に受け入れる受入れスロットが設けられているのがよい。カバーフラップは、上方コンパートメントの前壁に選択可能に係合できるのがよい。上方コンパートメントの前壁には、カバーフラップの一部を選択可能に受け入れる受入れスロットが設けられているのがよい。
【００１０】
フラップは、上方コンパートメントの１対の側壁のうちの一方と下方コンパートメントの１対の側壁のうちの一方の合計にほぼ等しい高さを有するのがよい。フラップは、下方コンパートメントの１対の側壁のうちの一方にほぼ等しい高さを有するのがよい。フラップは、下方コンパートメントが上方コンパートメントから下方にぶら下がるようになっているとき、下方コンパートメントの後壁が上方コンパートメントの後壁とほぼ整列するような仕方で連結されているのがよい。フラップは、下方コンパートメントが上方コンパートメントから下方にぶら下がるようになっているとき、下方コンパートメントの後壁が上方コンパートメントの前壁とほぼ整列するような仕方で連結されているのがよい。
【００１１】
パッケージは、２つの板紙ブランクで形成されているのがよく、板紙ブランクのうちの１つは、上方コンパートメントを形成し、もう１つは下方コンパートメントを形成する。食用製品片は、チューインガムの個々の板状片であるのがよい。上方コンパートメント及び下方コンパートメントの前壁は、コンパートメント内に収容できる個々の食用製品片への接近を可能にするための部分的壁であるのがよい。
【００１２】
食用製品片を収容するパッケージの別の特徴は、後壁、前壁、底壁、及び１対の横方向側壁を備えたコンパートメントを構成するよう折り曲げられる第１の板紙ブランクと、後壁、前壁、底壁、及び１対の横方向側壁を備えたコンパートメントを構成するよう折り曲げられる第２の板紙ブランクとを有する。第２の板紙ブランクは、第１の板紙ブランクにより形成されるコンパートメントが上方コンパートメントとなり、第２の板紙ブランクにより形成されるコンパートメントが下方コンパートメントとなるように第１の板紙ブランクに取り付けられた上方フラップを更に有し、上方コンパートメント及び下方コンパートメントは各々、複数個の食用製品片を受け入れてこれらを収容するような適当な寸法形状のものである。
【００１３】
上方コンパートメントと下方コンパートメントは、フラップにより互いに連結されているのがよく、フラップは、上方コンパートメントの１対の側壁のうちの一方と下方コンパートメントの１対の側壁のうちの一方の合計にほぼ等しい高さを有する。上方コンパートメントと下方コンパートメントは、フラップによって互いに連結されているのがよく、フラップは、下方コンパートメントの１対の側壁のうちの一方にほぼ等しい高さを有する。
【００１４】
食用製品片を収容するパッケージを形成する方法の別の特徴は、第１の板紙ブランク及び第２の板紙ブランクを用意するステップと、第１の板紙ブランクを折り曲げてカバーフラップ及び後壁と、前壁と、底壁と、１対の横方向側壁とを備えたコンパートメントを形成するステップとを有し、コンパートメントは、複数個の食用製品片を受け入れてこれらを収容するような適当な寸法形状のものである。この方法は、第２の板紙ブランクを折り曲げて連結フラップ及び後壁と、前壁と、底壁と、１対の横方向側壁とを備えたコンパートメントを形成するステップを更に有し、コンパートメントは、複数個の食用製品片を受け入れてこれらを収容するような適当な寸法形状のものであり、この方法は、第２の板紙ブランクの連結フラップを第１の板紙ブランクに取り付けるステップを更に有する。
【００１５】
本方法は、第１の板紙ブランクで形成されたコンパートメントを連結フラップに対して回し、第２の板紙ブランクで形成されたコンパートメントを連結フラップに対して回して各コンパートメントの前壁を互いに隣接して位置させるステップを更に有するのがよい。本方法は、カバーフラップを、第２の板紙ブランクで形成されたコンパートメントの少なくとも一部上に折り重ねるステップを更に有するのがよい。本方法は、カバーフラップの一部を、第２の板紙ブランクで形成されたコンパートメントに選択可能に係合させるステップを更に有するのがよい。第２の板紙ブランクで形成されたコンパートメントの後壁には、カバーフラップの一部を受け入れるスロットが形成されているのがよい。
【００１６】
本方法は、第２の板紙ブランクの大部分を、後で第１の板紙ブランクから分離するステップを更に有するのがよい。本方法は、カバーフラップを第１の板紙ブランクで形成されたコンパートメントの少なくとも一部上に折り重ねるステップを更に有するのがよい。本方法は、カバーフラップの一部を第１の板紙ブランクで形成されたコンパートメントに選択可能に係合させるステップを更に有するのがよい。第１の板紙ブランクで形成されたコンパートメントの前壁には、カバーフラップの一部を受け入れるスロットが形成されているのがよい。
【００１７】
食用製品片を収容するパッケージの別の特徴は、複数個の食用製品片を受け入れてこれらを収容する上方コンパートメントを構成するよう折り曲げられる第１の板紙ブランクを有し、上方コンパートメントは、少なくとも一部が上方コンパートメントの５つの側部で閉じられ、５つの側部は、後壁、前壁、底壁、及び１対の横方向側壁を含む。このパッケージは、複数個の食用製品片を受け入れてこれらを収容する下方コンパートメントを構成するよう折り曲げられる第２の板紙ブランクを有し、下方コンパートメントは、少なくとも一部が下方コンパートメントの５つの側部で閉じられ、５つの側部は、後壁、前壁、底壁、及び１対の横方向側壁を含み、第２の板紙ブランクは、第１の板紙ブランクに取り付けられる上方フラップを更に有する。パッケージは、上方コンパートメントの後壁に連結されているカバーフラップを更に有し、カバーフラップは、下方コンパートメントの後壁に形成された受入れスロットに選択可能に係合できる。
【００１８】
食用製品片を収容するパッケージの別の特徴は、第１のコンパートメント及び第２のコンパートメントを有し、各コンパートメントは、複数個の製品片を受け入れてこれらを収容するよう形成されている。第１のコンパートメントは、少なくとも一部が第１のコンパートメントの５つの側部で閉じられ、５つの側部は、後壁、前壁、底壁、及び１対の横方向側壁を含む。第２のコンパートメントは、少なくとも一部が第２のコンパートメントの５つの側部で閉じられ、５つの側部は、後壁、前壁、底壁、及び１対の横方向側壁を含む。第１のコンパートメントと第２のコンパートメントは、フラップにより互いに連結されている。
【００１９】
食用製品片を収容するパッケージの別の特徴は、後壁、前壁、底壁、及び１対の横方向側壁を備えたコンパートメントを構成するよう折り曲げられる第１の板紙ブランクと、後壁、前壁、底壁、及び１対の横方向側壁を備えたコンパートメントを構成するよう折り曲げられる第２の板紙ブランクとを有する。第２の板紙ブランクは、第１の板紙ブランクにより形成されるコンパートメントが上方コンパートメントとなり、第２の板紙ブランクにより形成されるコンパートメントが下方コンパートメントとなるように、第１の板紙ブランクに取り付けられた上方フラップを更に有し、上方コンパートメント及び下方コンパートメントは各々、製品片を受け入れてこれらを収容するような適当な寸法形状のものである。
【００２０】
本発明の多くの追加の特徴及び利点は、以下の詳細な説明を参照すると当業者には明らかになろう。
【発明を実施するための最良の形態】
【００２１】
次に、包装設計品の種々の新規な特徴を示すのに役立つ添付の図面を参照する。次に本発明を主としてガム包装と関連して説明するが、はっきりと理解されるべきこととして、本発明は、１つ又は２つ以上の取り外し可能な物体について各々設けられる多数の分離可能なコンパートメントが必要／所望である他の用途にも適用できる。この点に関し、ガム包装設計品についての以下の説明は、例示且つ説明の目的で与えられている。さらに、説明内容は、本発明を本明細書において開示した形態に限定するものではない。したがって、以下の教示並びに関連技術のノウハウと均等な変形例及び改造例は、包装設計品の範囲に含まれる。本明細書において説明する実施形態は更に、本発明を実施する公知の最適態様を説明すると共に当業者が本発明をかかる実施形態又は他の実施形態で、しかも包装設計品の特定の分野又は用途によって必要とされる種々の改造を施した状態で利用できるようにすることを意図している。
【００２２】
包装設計品は、折り曲げられるような仕方で筋（すじ）が付けられた２つの板紙ブランク１０，１２（図５及び図７）を用いており、したがって、各板紙ブランクは、消費可能な製品、例えばチューインガムを収容するコンパートメントを形成するようになっている。ブランクのうち一方は、上方コンパートメント１４を形成し、他方のブランクは、下方コンパートメント１６を形成する。一方のブランク（又はコンパートメント）は、ミシン目に沿って引き裂くことにより一方のブランクを他方のブランクから容易に分離できるような仕方で他方のブランクにくっつけられている。コンパートメント１４，１６は元々、この取り付けられた状態で提供され、互いに折り畳まれて一方のコンパートメントをこれが他方のコンパートメントに向いた状態に配置し、上方コンパートメント１４から延びるカバーフラップ１８が、下方コンパートメント１６のバックパネル２４に設けられた受入れスロット２２の上に重ねられる端部２０を備えている。消費者は、この端部２０をスロット２２内にたくし込んで例えば図１に示すコンパクトなパッケージ２６を形成することができる。
【００２３】
いったん購入すると、透明なフィルム（図示せず）をパッケージ１８から取り外すのがよく、その結果、消費者は、フラップ１８を持ち上げて下方コンパートメント１６が図２に示す位置に下方にぐるっと回して開くことができるようになっている。この位置では、消費者は、製品の板状片２８を所望に応じて取り出すことができ又は他の人と分け合うことができる。次に、パッケージ２６を図１に示すようにその元の形態に戻すのがよい。消費者が望むならば、消費者は、まず最初に下方コンパートメント１６から板ガム２８を消費し、次に、いったん空になると、図３に示すようにミシン目入りのスコアライン（筋付け線）に沿って引き裂くことにより、コンパートメント１４，１６を互いに分離することができる。次に、所望ならば、消費者は、カバーフラップ１８を上方コンパートメント１０上へ下方に折り曲げてカバーフラップ１８の端部２０を上方コンパートメント１４に形成された受入れスロット８４（図４に示されているように）たくし込み、そして引き続きこのようにパッケージ２６の上方コンパートメント１４を用いて、最終的に製品の全てが消費されるようにするのがよい。
【００２４】
図５に示すように、第１の板紙ブランク１０は、その一方の側部から延びるカバーフラップ１８及びその反対側の側部から延びるボトムフラップ３０を有している。第１の板紙ブランク１０の横方向側部に設けられた１対の横方向サイドフラップ３２，３４が、互いに逆方向に延びている。第１の板紙ブランク１０の残りの中央部分は、上方コンパートメント１４のバックパネル３５を形成する。第１の板紙ブランク１０は、ＳＢＳ（solid bleach sulfate：ソリッドブリーチサルフェート）板紙で構成され、これを用いる理由は１つには、この材料の折曲げ特性が良好だからである。変形例として、コンパートメント１４，１６は、他の或る適当な材料、例えばポリ塩化ビニル（ＰＶＣ）で構成されたものであってもよい。板紙材料は、その外面に施されたホワイトクレイ（白土）エマルジョン塗膜を有するのがよく、その内面には塗膜は施されていない。塗膜は、板紙への印刷性能を向上させ、この塗膜は、以下に説明する切断ステップ、筋付けステップ及び組立てステップに先立って行われるのがよい。また、ホログラフィック材料のラミネートを印刷面に追加するのがよい。
【００２５】
図５で理解できるように、カバーフラップ１８は、一般に５つの辺のものであり、即ち、スコアライン３６に沿って定められた１つの辺、これに直交した２つの側辺５４，５６及び側辺５４，５６から延びていて、カバーフラップ１８の端部２０のところで出会う１対の頂辺５８，６０を備えている。ボトムフラップ３０は、スコアライン４０により定められた辺、これに直交した１対の側辺６２，６４、及び側辺６２，６４に直交した底辺６６を有している。横方向サイドフラップ３２，３４は、互いに鏡像関係にあり、したがって、横方向サイドフラップ３２についてのみ詳細に説明する。横方向サイドフラップ３２は、スコアライン４２，５２相互間に位置し、上方コンパートメント１４へのサイドパネル６８を形成するほぼ矩形の部分を有する。横方向サイドフラップ３２の残りの部分は、横方向サイドフラップ３２をスコアライン４２，５２に沿って折り曲げた後にフロントウイング７０を形成する。フロントウイングは、ほぼ矩形の区分及びほぼ矩形の区分の上方に位置するほぼ三角形の区分を有する。
【００２６】
図５で理解できるように、第１の板紙ブランク１０は、スコアライン３６，３８，４０，４２，４４，４６，４８，５０，５２に沿って多数の場所で筋が付けられている。スコアライン３６，３８，４０，４２，４４は、通常のスコアラインであり、スコアライン４６，４８，５０，５２は、切れ目入りスコアラインである。通常のスコアラインは、材料にＶ字形を形成するよう板紙ブランク１０に互いに反対側から当てられる雄型及び雌型の互いに嵌まり合うチャネルを有するツールを用いて板紙に形成された折り目である。切れ目入りスコアラインは、切れ目入りスコアラインが上述したように筋付けされるだけでなく、小さなスリットも又スコアラインに沿う互いに間隔を置いた場所で材料を完全に貫通して切断形成されるという点で通常のスコアラインとは異なっている。切れ目入りスコアラインは、通常のスコアラインの場合よりも容易に折り曲げることができるラインを作る。欠点を挙げると、切れ目入りスコアラインは、組立て閉鎖状態を消費者が外部から見たときに通常のスコアラインと同じほど端正な外観を備えていないということが挙げられる。この理由で、パッケージを図１に示すように完全に組み立てたときに見えるラインは、通常のスコアラインであり、残りの折曲げ線が、切れ目入りスコアラインである場合がある。
【００２７】
図５及び図６に示すように、横方向サイドフラップ３２，３４は、フロントウイング７０を形成するようスコアライン４２，５２，３８，４８に沿って折り曲げられ、ボトムフラップ３０は、底壁８０及びフロントパネル８２を形成するようスコアライン４０，５０に沿って折り曲げられる。この場合、フロントパネルの方へ向いたフロントウイングの表面及び（又は）フロントウイングの方へ向いたフロントパネルの部分に接着剤（図示せず）を塗布してフロントパネル８２をフロントウイング７０に取り付けるのがよい。このようにして、上方コンパートメント１４は、第１の板紙ブランク１０から形成される。
【００２８】
ボトムフラップ３０のフロントパネル８０には、受入れスロット８４が形成されている。図４では、上方コンパートメント１４は、カバーフラップ１８の端部２０が上方コンパートメント１４のフロントパネル８２の受入れスロット８４内に挿入された状態で示されている。理解できるように、このスロット８４は、下方コンパートメント１６を取り外したときにパッケージを閉鎖するために用いられるに過ぎないということが意図されている。
【００２９】
第２の板紙ブランク１２は、多くの点で第１の板紙ブランクとほぼ同じである。第２の板紙ブランクは、同一の材料で構成され、これへの物質の印刷性能を高めるために一方の面に施されたクレイ塗膜を有している。第２の板紙ブランク１２も又、第１の板紙ブランク１０のボトムフラップ３０及び横方向サイドフラップ３２，３４と同一のボトムフラップ９０及び横方向サイドフラップ９２，９４を有している。第２の板紙ブランク１２と第１の板紙ブランク１０の主要な相違点は、第２の板紙ブランク１２に設けられた連結フラップ９６及び下方コンパートメント１６に設けられた受入れスロット２２に関連している。
【００３０】
第２の板紙ブランク１２の連結フラップ９６は、第１の板紙ブランク１０のカバーフラップ１８とは大きく異なっている。連結フラップ９６は、ほぼ矩形であり、その底辺に設けられた通常のスコアライン９８により定められる１つの辺、１対の側辺１００，１０２及び頂辺１０４を備えている。ミシン目入りスコアライン１０６が、連結フラップ９６を上方部分１０８と下方部分１１０に分割している。ミシン目入りスコアライン１０６は、分離が所望されるまで部分１０８，１１０を互いに結合するのに必要なほどの紙の量だけを残すのに十分互いに密接している筋（スコア）と一連のミシン目を有する。所望の場合、このミシン目入りスコアライン１０６は、消費者が部分１０８，１１０をかなり容易に分離することができるように切離しを可能にする。図２及び図８に示すように、連結フラップ９６の上方部分１０８は、その内面に塗布されていて、上方コンパートメント１４の底壁８０の外面への取付けを可能にする接着剤１１２を有している。これは、図１及び図２に示されている。図３は、２つのコンパートメント１４，１６をミシン目入りスコアライン１０６に沿って互いに分離した後のこれら２つのコンパートメント１４，１６を示している。
【００３１】
このように取り付けられると、下方コンパートメント１６のバックパネルと上方コンパートメント１４のフロントパネルは、図２の開放位置にあるとき、上方コンパートメントが垂直方向に保持された状態でほぼ同一の平面内でぶら下がる傾向があり、それにより、下方コンパートメントは、上方コンパートメントから下方にぶら下がることができる。この場合、連結フラップの下方部分１１０は、下方コンパートメントの側壁にほぼ等しい高さを有するよう寸法決めされるのがよい。
【００３２】
下方コンパートメント１６は又、上方コンパートメント１４の受入れスロット８４に対する下方コンパートメント１６の受入れスロット２２の配設場所及び向きにおいて、上方コンパートメント１４とは異なっている。下方コンパートメント１６の受入れスロット２２は、受入れスロット８４に関するフロントパネル８２と比較して、下方コンパートメント１６のバックパネル２４に形成されている。この場合、受入れスロット２２は、パッケージが図２及び図３に示す向きにあるとき、湾曲した部分が受入れスロット８４の湾曲部分から見て逆方向に向くように差し向けられる。下方コンパートメント１６を図１に示す向きで上方コンパートメント１４に隣接して上に折り曲げると、湾曲部分は、カバーフラップ１８の端部２０をこれに係合させることができる方向に差し向けられる。連結フラップ９６に関連して既に説明した相違点以外では、横方向サイドフラップ９２，９４及びボトムフラップ９０の折曲げ及び互いに対する取付けは、上方コンパートメント１４と関連して上述したのとほぼ同じ仕方で行われる。
【００３３】
変形実施形態が、図９及び図１０に示されている。この実施形態と上述した第１の実施形態の主要な相違点は、カバーフラップの形状並びに上方及び下方コンパートメントの受入れスロットの配設場所に関連している。理解できるように、この実施形態のカバーフラップ１２０は、横方向に非対称である。したがって、下方コンパートメントの受入れスロット１２２は、カバーフラップ１２０の端部を受け入れる位置にあるように、一方の横方向側部に向かってオフセットされている。上方コンパートメントの受入れスロット１２４は、このように同様にオフセットされている。理解できるように、本発明の教示は、互いに異なる形状のカバーフラップ及び互いに異なる形状及び位置の受入れスロットを備えた他の構成例に当てはまる。
【００３４】
別の変形例（図示せず）として、上方コンパートメント１４の底壁８０の外面への取付けを可能にするために、接着剤１１２を連結フラップ９６の上方部分１０８の外面に塗布することにより、下方コンパートメント１６を上方コンパートメントに取り付けてもよい。このように取り付けた場合、上方コンパートメント１４及び下方コンパートメント１６の各々のバックパネルは、図２の開放位置にあるとき、上方コンパートメントが垂直方向に保持された状態でほぼ同一の平面内でぶら下がる傾向があり、それにより、下方コンパートメントは、上方コンパートメントから下方にぶら下がることができる。この場合、連結フラップの下方部分１１０は、上方コンパートメントの側壁と下方コンパートメントの側壁の合計にほぼ等しい高さを有するよう寸法決めされるのがよい。
【００３５】
代表的には、ガム製品を製造し、次に冷蔵してエージングさせる。板状及び棒状のガムを調製するには、ガム製品をシートの状態に圧延し、これをレーンの状態に切断し、次にこれに切れ目を入れて個々の片の状態に切り離す。ガムの個々の板状片（以下、「板ガム」ともいう）を個別的に別々のシート（枚葉紙）状の蝋紙にくるみ、次に、列状に配置されたかかる板ガムをフォイル（箔）ハーフパウチ（図示せず）内に配置できるような仕方で包むのが実用的であることが判明した。それと同時にガムパッケージを組み立てる。かくして、板紙を印刷し、切断し、そして筋付けする。次に、この板紙を折り曲げ、充填し、組み立て、閉鎖し、そして開封テープ付きの透明なフィルムを外部に取り付ける。１２個のかかるパッケージ入りの陳列用トレイを作製し、これら陳列用トレイを透明なフィルムで上包みし、次にこれらを波形輸送容器内に入れ、パレットに載せ、次に収縮包装する。次に、これを倉庫に保管し、配送センタまで輸送する。
【００３６】
幾つかの実施形態では、板ガムをパッケージにくっつけ又は違ったやり方で取り付けることができる。これにより、板ガムは、パッケージの内部から外へ落下し又はパッケージ内でひっくり返ることが無いようにすることができる。板ガムをパッケージに解放可能に固定し又は取り付けるのがよい。板ガムをパッケージ内にくっつける上で多くの手段がある。考えられる一手段は、板ガムをパッケージ内に配置する前に、板ガムをフォイルハーフパウチ、紙又はプラスチックストリップ、ラップアラウンドバンド又は他形式のシート状材料（ひとまとめに、本明細書においては、「シート」という）の内部又は外部に配置することである。シートは、単一の層を有してもよく、或いは複数の層を有してもよい。層のうちの１つは、板ガムがパッケージ内にあるときに、板ガムの吸収する水分の量を減少させる防湿材料を含むのがよい。
【００３７】
シートを使用する代わりに、シートを用いないで板ガムを直接パッケージ内に配置してもよい。板ガムを直接パッケージ内に配置する場合、これら板ガム（又はこれらの包み）をパッケージにくっつけてもよく、或いはそうでなくてもよい。例えば、板ガムを蝋又は他の接着剤を介してパッケージの１つ又は２つ以上の内面にくっつけてもよい。蝋又は接着剤を２つ以上の板ガムにくっつく１つ又は２つ以上の接着剤ストリップ又はバンドの状態で入れ又は提供してもよい。パッケージそれ自体は、板ガムにくっつくようその内面に被着されたパラフィン又は他の蝋質材料を有するのがよい。変形例として、複数個の蝋又は接着剤スポット又は領域をパッケージの１つ又は２つ以上の内面上に形成してもよく、各々は、板ガム又は板ガムの周りの包みのうちの１つ又は２つ以上にくっつく。板ガムの周りの包みを用いる場合、板ガムをパッケージに付着させるために用いられる接着剤は、包みをパッケージにくっつけることになる。接着ボンドは、包みがパッケージから外れる恐れを無くし又は減少させるのに十分強固であるのがよい。かくして、包みは、板ガムをパッケージ及び包みから取り出したときでもパッケージ内に残るであろう。変形例として、包みとパッケージとの間の接着ボンドは、包み及び板ガムをパッケージから取り出すことができるが、包みの中の板ガムがパッケージから外へ落下し又はパッケージ内でひっくり返らないようにするのに十分強固であるようなものであるのがよい。考えられる１つの実施形態は、２００４年５月１１日に出願され、ホフマン・アンド・バロン・エルエルピー（Hoffman & Baron, LLP）のローファームでは代理人事件番号１４２１−２８Ｐと表示された米国仮特許出願第６０／５７０，０１５号明細書（発明の名称：Gum Slab Packaging Having Adhesive Flap）に示されており、この米国仮特許出願を参照により引用し、この目的の全てについてその開示内容を本明細書の一部とする。
【００３８】
もう１つの別法として、板ガムを、シートがパッケージ内に用いられるかどうかとは無関係に互いにくっつけてもよい。例えば、接着剤の小滴又はストリップを板ガム又はこれらの包み上に設けて、板ガム又はこれらの包みが互いに結合されるようにしてもよい。接着剤の小滴又はストリップを、パッケージ内に互いに並んだ形態で配置される場合のある板ガムの１つ又は２つ以上の面上に配置するのがよい。同種又は異種の接着剤も又、板ガムをハウジング及び／又はシートにくっつけるのに使用できる。
【００３９】
シートが設けられる場合、板ガムを或る種類のコールド又はホット接着剤でシートにくっつけることができ、次に、シートの外側部分をパッケージの内面又は内壁にくっつけるのがよい。１つ又は２つ以上の接着剤ストリップ、スポット又は他の領域を用いてシートをパッケージの１つ又は２つ以上の内面にくっつけるのがよい。変形例として、シートをパッケージにくっつける必要はなく、単にパッケージ内に配置してもよい。また、板ガムをシートにくっつけず、シートをパッケージにくっつけるのが望ましい場合がある。変形例として、シートをパッケージにくっつける必要はない。
【００４０】
考えられる一手段としては、シートと板ガムの両方をパッケージの１つ又は２つ以上の内面又は内壁にくっつけることが挙げられる。例えば、板ガムがシート上又はシート内に配置される場合、板ガムの一部だけを覆うシート又はパウチを使用して、シート及び板ガムをパッケージの内部に配置する場合に、板ガム（又はこれらの包み）の頂部がシートの縁部の上方に上に延びるようにしてもよい。接着剤ストリップを、パウチの上縁部とほぼ同じ高さの位置又はパウチの上縁部とオーバーラップする位置で、パッケージのガムコンパートメントの裏側の内壁に塗布してもよい。接着剤ストリップが十分に大きい場合、これにより、パウチと板ガムの頂部の両方がパッケージの内面にくっつくことができる。変形例として、２つの別々の接着剤ストリップを用いてもよく、一方で板ガム（又はこれらの包み）をパッケージにくっつけ、もう一方でシートをパッケージの１つ又は２つ以上の内壁又は内面にくっつける。これらは２つの接着剤ストリップを、パッケージの後側の同じ内壁上に設けてもよく、或いは、例えば、一つを板ガムの頂部がパッケージの後側の内壁にくっつくようパッケージの後側の内壁に設け、もう１つをパッケージの前側の内壁に設けてシートをパッケージの前側の内壁にくっつけてもよい。考えられる１つの実施形態が、２００４年５月１１日に出願され、ホフマン・アンド・バロン・エルエルピーのローファームでは、代理人事件番号１４２１−２３Ｐと表示された米国仮特許出願第６０／５７０，００４号明細書（発明の名称：Gum Slab Packaging with Adhesive Securement）に示されており、この米国仮特許出願を参照により引用し、その目的の全てについてその開示内容を本明細書の一部とする。
【００４１】
この一般的なテーマに関し幾つかの考えられる変形例が存在することは理解できよう。加うるに、接着剤は、ストリップの状態で被着される必要はなく、別の形状又は配列状態であってもよい。ホットワックスは、一種の接着剤の一例である。
【００４２】
別の例として、接着剤を用いて板ガムをシートにくっつけると共に（或いは）シートをパッケージの１つ又は２つ以上の内面又は内壁にくっつけてもよい。別のパッケージ設計例に関するかかる形態は、米国特許公開公報第２００３／００８００２０号明細書（米国特許出願第１０／００３，３３６号明細書）（発明の名称：Package Having Releaseably Secured Consumable Products）に示されており、この米国特許出願公開を参照により引用し、全ての目的についてその記載内容を本明細書の一部とする。
【００４３】
上述の包装設計品を板ガムと関連して説明したが、この包装設計品は、棒状ガム、押出し成形ガム、ペレット状ガム及びキャンディで覆ったガムについて役に立つよう改造することも可能である。加うるに、各コンパートメントは、１つという少ない数の大きなガム片を保持してもよい。さらに、本明細書において説明した包装設計品を用いて他種類の他形式の消費可能な製品（例えば、クッキー、チョコレートバー、タフィー、トフィー、フルーツロールアップ等）の個々の小片を保持することができる。変形例として、これを用いて非食用製品、例えば写真、クーポン券、チケット、切手、パズルピース、ゲームピース等を販売し、郵送し、配送し又は保持してもよい。パッケージ内の個々の物品は、全て同一であってもよく、或いはこれらは、互いに組立て可能な互いに異なる物品であってもよく、或いは食用製品の場合、これらは互いに異なる種類の味であってもよい。また、パッケージは、医薬品又は栄養剤、例えばピル、ビタミン剤、経口ケアストリップ等又は噛んで食べたり又は飲み込んだりはしない物品（例えば、噛みタバコ、歯肉疾患用の痛みを和らげるストリップ等）を収容するために使用できる。
【００４４】
理解できるように、本発明のパッケージ設計品には多くの利点がある。一利点は、互いに隣接した板ガムの２つ又は３つ以上の列と比較して、板ガムの単一の列を有することに関する。この場合、１度に単一の小片を取り出すことが容易であり、残りの小片は、パッケージから外へ落ちる恐れは低い。さらに、パッケージは、ガム製品を他の人と分け合うような気にならせる、気持ちがよく且つ人前に出しても恥ずかしくない外観を有する。さらに、パッケージはしっかりと閉まり、ガム製品を完全に包む。これら利点のうち全てが必ずしも実施形態の各々に見られるわけではない。
【００４５】
包装設計品の上述の説明は、例示及び説明の目的で与えられている。さらに、説明内容は、本発明を本明細書において開示した形態に限定するものではない。したがって、以下の教示並びに関連技術のノウハウと均等な変形例及び改造例は、包装設計品の範囲に含まれる。上述した実施形態は更に、本発明を実施する公知の最適態様を説明すると共に当業者が本発明をかかる実施形態又は他の実施形態で、しかも本発明の特定の分野又は用途によって必要とされる種々の改造を施した状態で利用できるようにすることを意図している。添付の特許請求の範囲は、先行技術によって許される範囲まで変形実施形態を含むものと解釈される。
【図面の簡単な説明】
【００４６】
【図１】閉鎖位置で示された包装設計品の斜視図である。
【図２】開放位置で示され、複数個の個々の包装状態の板ガムを収容した図１の包装設計品の斜視図である。
【図３】包装設計品の空になった下方コンパートメントを包装設計品から分離した後の図１の包装設計品の斜視図である。
【図４】図３の包装設計品の残りの部分の斜視図であり、空になった下方コンパートメントを取り外した後でパッケージを閉鎖するよう定位置にたくし込まれた包装設計品のカバーフラップを示す図である。
【図５】包装設計品の上方コンパートメント及びカバーフラップを形成するために用いられる第１の広げられた板紙ブランクの平面図である。
【図６】図５のブランクの斜視図であり、上方に折り曲げられたサイドフラップ及び部分的に折り曲げられたボトムフラップを示す図である。
【図７】包装設計品の下方コンパートメントを形成するために用いられる第２の広げられた板紙ブランクの平面図である。
【図８】図７のブランクの斜視図であり、上方に折り曲げられたサイドフラップ、上方に部分的に折り曲げられたボトムフラップ、および下方に折り曲げられ接着剤の塗布された連結フラップを示す図である。
【図９】包装設計品の第２の実施形態の平面図であり、カバーフラップ及び受入れスロットの別の形状を示すと共にカバーフラップが受入れスロット内にたくし込まれた状態を示す図である。
【図１０】図９に示す第２の実施形態の平面図であり、カバーフラップが受入れスロットから引き出されて部分的に上方に折り曲げられた状態を示す図である。
【図１１】図９に示す第２の実施形態の平面図であり、カバーフラップが、受入れスロットから引き出されて上方に折り曲げられ、下方コンパートメントが取り外された状態を示す図である。
【図１２】図９に示す第２の実施形態の反対側の平面図であり、カバーフラップが受入れスロットから引き出されて上方に折り曲げられ、下方コンパートメントが上方コンパートメントからぶら下がった状態で下方へ揺れ動くようになっている状態を示す図である。
【図１】
2007537105.tif 000003
【図２】
2007537105.tif 000004
【図３】
2007537105.tif 000005
【図４】
2007537105.tif 000006
【図５】
2007537105.tif 000007
【図６】
2007537105.tif 000008
【図７】
2007537105.tif 000009
【図８】
2007537105.tif 000010
【図９】
2007537105.tif 000011
【図１０】
2007537105.tif 000012
【図１１】
2007537105.tif 000013
【図１２】
2007537105.tif 000014
【国際調査報告】
2007537105.tif 000015
2007537105.tif 000016
2007537105.tif 000017